(57)【要約】      （修正有）【課題】包装して陳列する際に、ブリーフの特徴的な形状を際立たせて見せることができる状態にコンパクトに保持することができるブリーフ陳列台紙を提供する。【解決手段】長方形状の台紙本体１１に、長さ方向と直交する幅方向に横断する第１折り目線１２を設け、第１折り目線に沿って折り曲げて表面台１３と背面台１４を形成すると共に、表面台の中央に下端にかけて下辺を小とした等脚台形状の中央開口１３ａを設けると共に、中央開口の下辺を左右幅方向に延在させた差込係止穴１３ｂを設け、かつ表面台の左右両側縁に第２折り目線１５を設けて連結片１６ｂを突設する一方、背面台に連結片を挿入係止するスリット１４ａを設ける。【選択図】図１
2008127069.tif 000002
【特許請求の範囲】
【請求項１】
長方形状の台紙本体に、長さ方向と直交する幅方向に横断する第１折り目線を設け、前記第１折り目線に沿って折り曲げて表面台と背面台を形成すると共に、
前記表面台の中央部に下端にかけて下辺を小とした等脚台形状の中央開口を設けると共に、前該開口の下辺を左右幅方向に延在させた差込係止穴を設け、かつ、該表面台の左右両側縁に第２折り目線を設けて連結片を突設する一方、前記背面台に前記連結片を挿入係止するスリットを設けており、
前記表面台をブリーフの上端履口から挿入して、ブリーフの前面部を表面台の前面に沿わせて該表面台の後面側でブリーフの上端履き口をクリップ止めすると共に、前記ブリーフの両側足回りラインの下部を前記差込係止穴に挿入係止し、前記表面台の中央開口の前面をブリーフの前面側の局部当て部で覆うと共に、該局部当て部の両側の傾斜した両側足回りラインを表面台前面の両側に位置させる一方、
前記中央開口の後面側からブリーフ背面部を押し込んで局部当て部を膨出させ、該状態で前記表面台の後面側のブリーフを挟み込みように前記第１折り目線で折り曲げた背面台のスリットに前記表面台の連結片を挿入係止する構成としていることを特徴とするブリーフ陳列台紙。
【請求項２】
前記表面台の先端側に第３折り目線を設け、該第３折り目線に沿って折り曲げて表面台と背面台の間に位置させる押さえ台を設け、前記第３折り目線に沿って前記差込係止穴を設け、折り返される前記押さえ台に沿わせてブリーフの股部を折り返し、かつ、
前記表面台の中央開口の傾斜した左右両側縁に沿って第４折り目線を介して前面側に折り曲げる膨出ガイド片を設け、左右の膨出ガイド片の間に前記ブリーフ背部側を前記中央開口内に押し込んでブリーフの局部当て部を膨出させ、さらに、
前記表面台の左右両側縁から突出する前記連結片と連続して、前記第１折り目線側に突出する挟み込み部を突出させ、該挟み込み部でブリーフの両側部を挟み込む構成としている請求項１に記載のブリーフ陳列台紙。
【請求項３】
前記第１折り目線にフックを挿入係止している請求項１または請求項２に記載のブリーフ陳列台紙。
【発明の詳細な説明】
【技術分野】
【０００１】
本発明は、男性用パンツのブリーフの陳列台紙に関し、ブリーフを陳列する際に、ブリーフの形状を際立つように立体的に保持しながらコンパクトに収容できるようにするものである。
【背景技術】
【０００２】
従来、ブリーフの販売時には、透明な包装袋の内部にブリーフを折り畳んで収容している場合が多い。
この場合、ブリーフは折り畳まれて包装袋に収容されているだけであるため、販売するブリーフの着用時における特徴的な形状が外部から見ることができない。また、包装袋の上端にフックを取り付けて吊り下げて陳列すると、包装袋の内部でブリーフがずり下がってブリーフの形状を保持できず、包装袋の下部が膨らんだ状態となり、見栄えが悪くなる問題がある。
【０００３】
この種のブリーフ等のパンツ類の包装構造として、特開平７−１８０５１号（特許文献１）において、図８に示すトランクスの包装構造が提供されている。該包装構造では透明合成樹脂製の自立する筒体１内に、トランクス２を前布部と後布部とを合わせて偏平とした状態から渦巻き状態に巻いて収容し、蓋３で閉鎖する筒体１の上端にトランクス２のゴム紐を位置させて、取り出し自在とされている。
【０００４】
前記特許文献１のトランクスの包装構造では、トランクスは丸められた状態となって筒体に収容されているため、トランクスの形状を透明な筒体の外部からは見ることができない。トランクスに代えてブリーフを筒体に収容した場合も同様である。
【特許文献１】特開平７−１８０５１号公報
【発明の開示】
【発明が解決しようとする課題】
【０００５】
本発明は、包装して陳列する際に、ブリーフの着用時における特徴的な形状を外部から見ることができると共に、コンパクトに収容保持することができるブリーフ陳列台紙を提供することを課題としている。
【課題を解決するための手段】
【０００６】
前記課題を解決するため、本発明は、長方形状の台紙本体に、長さ方向と直交する幅方向に横断する第１折り目線を設け、前記第１折り目線に沿って折り曲げて表面台と背面台を形成すると共に、
前記表面台の中央部に下端にかけて下辺を小とした等脚台形状の中央開口を設けると共に、前該開口の下辺を左右幅方向に延在させた差込係止穴を設け、かつ、該表面台の左右両側縁に第２折り目線を設けて連結片を突設する一方、前記背面台に前記連結片を挿入係止するスリットを設けており、
前記表面台をブリーフの上端履口から挿入して、ブリーフの前面部を表面台の前面に沿わせて該表面台の後面側でブリーフの上端履き口をクリップ止めすると共に、前記ブリーフの両側足回りラインの下部を前記差込係止穴に挿入係止し、前記表面台の中央開口の前面をブリーフの前面側の局部当て部で覆うと共に、該局部当て部の両側の傾斜した両側足回りラインを表面台前面の両側に位置させる一方、
前記中央開口の後面側からブリーフ背面部を押し込んで局部当て部を膨出させ、該状態で前記表面台の後面側のブリーフを挟み込みように前記第１折り目線で折り曲げた背面台のスリットに前記表面台の連結片を挿入係止する構成としていることを特徴とするブリーフ陳列台紙を提供している。
【０００７】
本発明のブリーフ陳列台紙は、比較的硬質で厚い紙からなる台紙本体を折り曲げてブリーフに取り付けるものであり、安価かつ保管スペースを取らない利点がある。
特に、本発明のブリーフ陳列台紙では、表面台の中央開口を設け、中央開口の後面側からブリーフ背面部を押し込んで、ブリーフの局部当て部を表面台から前方へ膨出するため、ブリーフ着用時の立体的な形態で包装することができ、包装状態のままで、ブリーフの特徴的な形状を際立たせて見せることができる。
かつ、膨出させた局部当て部の両側にブリーフの傾斜した両側足回りラインを位置させ、該両側足回りラインの下部を表面台の差込係止穴に引っ掛けるように挿入係止し、ブリーフの両側足回りラインを内側に引っ張っているため、両側足回りラインが略直線状に傾斜して、ブリーフ特有の両側足回りラインを際立たせて見せることができる。
【０００８】
また、ブリーフの前面部を表面台の前面に沿わせ、該表面台の後面側でブリーフの上端履き口をクリップ止めすることで、ブリーフの上端を表面台に対して位置決め保持することができる。よって、表面台の前面を覆うブリーフの前面側を適度に伸ばしているため、ブリーフの前面に皺を発生させず、ブリーフを見栄え良く台紙本体に装着することができる。さらに、ブリーフが表面台からずり下がることを防止できる。
【０００９】
前記表面台と背面台との間でブリーフを狭持した状態で連結する前記連結片は、背面台のスリットに差し込むだけで良いため簡単にブリーフを収容保持できる。該連結片は半円形状、楕円形状あるいは長方形状のいずれでもよい。
【００１０】
さらに、本発明のブリーフ陳列台紙は、前記表面台の先端側に第３折り目線を設け、該第３折り目線に沿って折り曲げて表面台と背面台の間に位置させる押さえ台を設け、前記第３折り目線に沿って前記差込係止穴を設け、折り返される前記押さえ台に沿わせてブリーフの股部を折り返し、かつ、
前記表面台の中央開口の傾斜した左右両側縁に沿って第４折り目線を介して前面側に折り曲げる膨出ガイド片を設け、左右の膨出ガイド片の間に前記ブリーフ背部側を前記中央開口内に押し込んでブリーフの局部当て部を膨出させ、さらに、
前記表面台の左右両側縁から突出する前記連結片と連続して、前記第１折り目線側に突出する挟み込み部を突出させ、該挟み込み部でブリーフの両側部を挟み込む構成とすることが好ましい。
【００１１】
前記構成とすると、ブリーフの股部が押さえ台と共に背面側に折り返され、かつ、該押さえ台と表面台の間にブリーフの背面部が折り畳まれた状態で保持でき、この状態で、表面台の連結片を背面台に係止しているため、ブリーフの折り畳み状態をしっかりと保持して厚みを薄くして、コンパクトに収容できる。
また、表面台の中央開口の傾斜した左右両側縁の第４折り目線を介して前面側に折り曲げる膨出ガイド片を設けると、表面台の前面部でブリーフの局部当て部を前方へ膨出させることができると共に、両側の膨出ガイド片の間に後面側から押し込むブリーフ背面部を収容保持する空間を確保することができる。よって、ブリーフの局部当て部の膨出を確実に維持して、ブリーフに特徴的な外観を際立たせることができる。
【００１２】
前記第１折り目線にフックを挿入係止しているのが好ましい。
上記構成とすると、フックをハンガースタンドに引っ掛けてつり下げて陳列することができるため、ブリーフの特徴的な形状を際立たせて販売することができる。
また、表面台の上部には、商品表示用、宣伝用等のシールを貼り付けてもよい。
【発明の効果】
【００１３】
前述したように、本発明によれば、表面台の中央部に中央開口を設け、中央開口の後面側からブリーフ背面部を押し込んで、ブリーフの局部当て部を表面台から前方へ膨出させることができると共に、該局部当て部の左右両側にブリーフの傾斜した足回りラインを位置させて目立たたせることができる。このように、陳列の際に、ブリーフの特徴的な形状を包装状態で外部から見えるようにすることができる。
さらに、ブリーフの前面部を表面台の前面に沿わせて該表面台の後面側でブリーフの上端履き口をクリップ止めすることで、ブリーフの上端を表面台に対して位置決め保持することができ、表面台の前面を覆うブリーフの前面側を適度に伸ばしているため、ブリーフの前面に皺を発生させず、ブリーフを見栄え良くブリーフ陳列台紙に装着することができると共に、ブリーフをブリーフ陳列台紙に装着する際に、ブリーフが表面台に対してずれることを防ぎ、作業を容易とすることができる。
【００１４】
また、表面台と背面台の間に位置させる押さえ台を設けると、ブリーフの股部が押さえ台と表面台との間に折り畳まれた状態となり、この状態で、押さえ台を挟んだ状態で表面台の連結片を背面台に係止しているため、全体として厚みを少なくすることができると共にコンパクトになり、多くの商品を陳列することができる。さらに、台紙の下部が開かず陳列状態が優れたものとなる。
さらに、表面台の中央開口の傾斜した左右両側縁の第４折り目線に沿って前面側に折り曲げる膨出ガイド片を設けると、中央開口の後面側から押し込んだブリーフ背面部を該中央開口とブリーフの局部当て部の間の空間に保持して、ブリーフの局部当て部の膨出状態を現出でき、着用時の立体的な形状を有する外観とすることができる。
【００１５】
さらにまた、第１折り目線にフックを挿入係止すると、フックをハンガースタンドに引っ掛けてつり下げて陳列することができるため、ブリーフの特徴的な形状を際立たせて販売することができる。
【発明を実施するための最良の形態】
【００１６】
以下、本発明の実施形態を図１乃至図７を参照して説明する。
図１には、本発明のブリーフ陳列台紙１０を示す。ブリーフ陳列台紙１０は、比較的硬質な厚紙からなる台紙本体１１を展開形状で所要形状に切断すると共に折り目線を設けておき、使用時に折り目線に沿って折り曲げてブリーフ２０に取り付け、平置き陳列あるいはフックを介して吊り下げ陳列するものである。
【００１７】
前記台紙本体１１には、略長方形状で、長さ方向と直交する幅方向に横断する第１折り目線１２を設けており、該第１折り目線１２に沿って折り曲げて、表面台１３と背面台１４とを形成している。前記表面台１３は、ブリーフ装着時に表側に露出する側を前面側１３Ａとし、反対の裏面側を後面側１３Ｂとしている。
【００１８】
表面台１３の先端側には第３折り目線１７で折り曲げる押さえ台１８を設けており、該押さえ台１８は折り曲げた状態で表面台１３と背面台１４との間に位置させものとしている。表面台１３の第３折り目線１７までの長さは背面台１４の長さと等しくＬ１としている。
【００１９】
前記表面台１３の中央には、下端の第３折り目線１７に向けて、下辺を小とした等脚台形状の中央開口１３ａを設けている。該中央開口１３ａの傾斜した左右両側縁に沿って、第４折り目線１９を介して膨出ガイド片１３ｃを設け、前面側に折り曲げるようにしている。これら左右一対の膨出ガイド片１３ｃは細長い形状とすると共に、先端縁を円弧状としている。
【００２０】
前記中央開口１３ａの下辺の第３折り目線１７に沿って差込係止穴１３ｂを左右幅方向に延在させて設けている。該差込係止穴１３ｂは、両端を略三角形状とし、第３折り目線１７を中心として上下対称な形状とし、前記押さえ台１８側にも延在させている。押さえ台１８側では、前記差込係止穴１３ｂの中央と連続した逆Ｔ形状のスリット１８ａ、１８ｂを設け、スリット１８ａ、１８ｂに囲まれた両側に左右一対の狭持片１８ｃを設けている。かつ、先端は円弧状突出部１８ｄとしている。
【００２１】
前記表面台１３の左右両側縁には第２折り目線１５で折り曲げる係止部１６を突設している。該係止部１６は第２折り目線１５で折り曲げられる部分から、表面台１３の両端縁と隙間Ｓをあけて第１折り目１２線側に突出する挟み込み部１６ａを設けている。
かつ、該係止部１６の外縁に連結片１６ｂを突設している。これら左右の連結片１６ｂの一方は楕円連結片１６ｂ−１とし、他方は矩形連結片１６ｂ−２としている。該連結片１６ｂは背面台１４に設けるスリット１４ａ−１、１４ａ−２に差し込み係止して、二つ折りされる表面台１３と背面台１４を第１折り目線１２から離れた開き側で連結する構成としている。
【００２２】
さらに、表面台１３の上部の左右両側縁にブリーフ上端保持用の溝１３ｅを設け、溝１６ｃの上端から第３折り目線１７までの長さＬ２としている。
【００２３】
また、表面台１３の上端となる第１折り目線１２の中央には、吊り下げ用の別体のフック３０を取り付けるためのスリット１１ａを設けている。また、第１折り目線１２を底辺とし、背面台１４を矩形状に切欠いた表示部１１ｂを設けている。表示部１１ｂおよび、該表示部１１ｂの周辺には商品表示等を記載したスタイルシールＰ１を貼付け、表示部１１ｂを立設させて商品表示などを目立つようにしている。また、スタイルシールＰ１の下方位置には、商品の効果等を記載したメリットシールＰ２を貼り付けている。
なお、前記フック３０は陳列吊り下げ時に取り付けており、平置き陳列時には取り付けていない。
【００２４】
前記した陳列台紙に図２に示すブリーフ２０を図３、４に示すように装着している。
陳列するブリーフ２０は、図２に示すように、本実施形態では排尿用の前開きがないブリーフ２０としている。なお、前開きがあるブリーフでもよい。
ブリーフ２０は前面部２０ａと背面部２０ｂの上端を連続させた上端履口２０ｃにゴムを取り付けており、前面部２０ａの中央部に膨出させた局部当て部２０ｄを備え、該局部当て部２０ｄの下部に股部２０ｅを連続させ、該股部２０ｅの他端を背面部２０ｂと縫着している。前面部２０ａから背面部２０ｂにかけて連続したハイレッグの足回部２０ｆを備え、前面部２０ａでは局部当て部２０ｄの左右両側に上方に向けて大きく湾曲傾斜した足回りライン２０ｇが位置している。
前記ブリーフ２０の上端履口２０ｃから股部２０ｅまでの距離はＬ２としている。
【００２５】
陳列台紙へのブリーフ２０の装着手順を図５および図６に基づいて説明する。
まず、別体のフック３０をスリット１１ａに通して取り付けた状態で、第１折り目線１２、第２折り目線１５、第３折り目線１７、第４折り目線１９に沿って予め折り曲げて、曲げ癖をつけておく。
【００２６】
ついで、表面台１３と背面台１４を展開形状に開き、図５に示すように、表面台１３の後面側１３Ｂを作業者側に向けた状態とし、表面台１３を押さえ台１８側からブリーフ２０の上端履口２０ｃに挿入して、ブリーフ２０の前面部２０ａを表面台１３の前面側１３Ａに沿わせると共に背面部２０ｂを表面台１３の後面側１３ｂに位置させる。
【００２７】
其の際、上端履口２０ｃを表面台１３の溝１３ｅに嵌合して上端を位置決めすると共に、表面台１３の中央開口１３ａの前面をブリーフ２０の局部当て部２０ｄで覆い、該中央開口１３ａの左右の前方へ折り曲げた膨出ガイド片１３ｃに乗せる。該局部当て部２０ｄの両側の傾斜した両側足回りライン２０ｇは表面台１３の前面側１３Ａの両側に位置する。
【００２８】
この状態で、ブリーフ２０の上端履口２０ｃの前面側の左右両側を前記挟み込み部１６ａとの隙間Ｓに通し、上端履口２０ｃを表面台１３の前面側１３Ａから後面側１３Ｂに引っ張りながら、別体のクリップ４０を用いて後面側１３Ｂに位置する上端履口２０ｃをまとめて係止する。
【００２９】
次いで、ブリーフ２０の股部２０ｅを押さえ台１８に乗せ、先端の円弧状吐出部１８ｄに沿わせて背面側へと折り曲げ、後面側でスリット１８ｂを通してスリット１８ａの両側の狭持片１８ｃで股部２０ｅを押さえた後に、前記差込係止穴１３ｂを通して表面台１３の後面側１３Ｂへと引っ張る。
【００３０】
次いで、表面台１３の後面側１３Ｂに位置するブリーフ背面部２０ｂを中央開口１３ａの後面側から左右の膨出ガイド片１３ｃ、１３ｃの間に丸めて押し込み、ブリーフ２０の局部当て部２０ｄを膨出させる。
【００３１】
その後、図６に示すように、第３折り目線１７に沿って押さえ台１８を表面台１３の後面側に折り返す。
ついで、図７（Ａ）（Ｂ）に示すように、押さえ台１８を表面台１３との間に挟みこむように第１折り目線１２で折り曲げた背面台１４を被せ、背面台１４のスリット１４ａに表面台１３の連結片１６ｂを挿入係止し、挟み込み部１６ａでブリーフ２０の両側部を挟み込む。
最後に、表面台１３の前面側を表に向けて、ブリーフ２０の両側足回りライン２０ｇの下部を差込係止穴１３ｂに挿入係止し、図３（Ａ）（Ｂ）の完成状態としている。
【００３２】
前記構成とすると、表面台１３の中央部に中央開口１３ａを設け、中央開口１３ａの後面側からブリーフ背面部２０ｂを押し込んで、ブリーフ２０の局部当て部２０ｄを表面台１３から前方へ膨出させることで、陳列の際にブリーフ２０を着用時の立体的な状態に保持でき、ブリーフの特徴的な形状を際立たせて見せることができる。
さらに、表面台１３の後面側１３Ｂでブリーフ２０の上端履口２０ｃをクリップ４０で止めることで、ブリーフ２０の上端履口２０ｃを表面台１３に対して位置決め保持することができ、表面台１３の前面側１３Ａを覆うブリーフ２０の前面部２０ａを適度に伸ばしているため、ブリーフ２０の前面部２０ａに皺を発生させず、ブリーフ２０を見栄え良く台紙本体１１に装着することができる。
さらに、ブリーフ２０を台紙本体１１に装着する際に、ブリーフ２０が表面台１３に対してずれることを防ぎ、作業を容易とすることができる。
【００３３】
また、表面台１３と背面台１４の間に位置させる押さえ台１８を設けると、ブリーフ２０の股部２０ｅが押さえ台１８と共に表面台１３と背面台１４との間に折り畳まれた状態となり、かつ、表面台１３の連結片１６ｂを背面台１４に係止しているため、全体として厚みを少なくすることができると共にコンパクトになり、多くの商品を陳列することができる。さらに、台紙本体１１の下部が開かず陳列状態が優れたものとなる。
【００３４】
さらに、表面台１３の中央開口１３ａの傾斜した左右両側縁の第４折り目線１９に沿って前面側に折り曲げる膨出ガイド片１３ｃを設けると、中央開口１３ａの後面側から押し込んだブリーフ背面部２０ｂを該中央開口１３ａとブリーフ２０の局部当て部２０ｄの間の空間に保持することができるため、ブリーフ２０の局部当て部２０ｄの膨出を維持することができ、ブリーフ２０に特徴的な外観を保持することが可能である。
【００３５】
さらにまた、第１折り目線１２のスリット１１ａにフック３０を挿入係止すると、フック３０をハンガースタンドに引っ掛けてつり下げて陳列することができるため、ブリーフ２０の特徴的な形状を際立たせて販売することができる。
なお、平置き陳列の場合にはフック３０を取り付ける必要はない。
【図面の簡単な説明】
【００３６】
【図１】本発明のブリーフ陳列台紙の展開図である。
【図２】ブリーフの正面図である。
【図３】（Ａ）はブリーフ陳列台紙にブリーフを装着した正面図、（Ｂ）は（Ａ）の右側面図である。
【図４】図３（Ａ）の背面図である。
【図５】ブリーフの上端履口をクリップで止め、挟持片でブリーフの股部を係止している状態を示す図である。
【図６】押さえ台を折り返している状態を示す図である。
【図７】（Ａ）は背面台を折り返した状態を示す背面図、（Ｂ）は（Ａ）の正面図である。
【図８】（Ａ）（Ｂ）従来例を示す図である。
【符号の説明】
【００３７】
１０  ブリーフ陳列台紙
１１  台紙本体
１２  第１折り目線
１３  表面台
１３ａ  中央開口
１３ｂ  差込係止穴
１３ｃ  膨出ガイド片
１４  背面台
１４ａスリット
１５  第２折り目線
１６  係止部
１６ａ  挟み込み部
１６ｂ  連結片
１７  第３折り目線
１８  押さえ台
１９  第４折り目線
２０  ブリーフ
２０ａ  前面部
２０ｂ  背面部
２０ｃ  上端履口
２０ｄ  局部当て部
２０ｇ  両側足回りライン
３０  フック
４０  クリップ
【図１】
2008127069.tif 000003
【図２】
2008127069.tif 000004
【図３】
2008127069.tif 000005
【図４】
2008127069.tif 000006
【図５】
2008127069.tif 000007
【図６】
2008127069.tif 000008
【図７】
2008127069.tif 000009
【図８】
2008127069.tif 000010
【手続補正書】
【提出日】平成18年11月30日(2006.11.30)
【手続補正１】
【補正対象書類名】図面
【補正対象項目名】図５
【補正方法】変更
【補正の内容】
【図５】
2008127069.tif 000011